(57)【要約】  移動体通信システムにおいて用いられる基地局で実装される方法が開示される。前記方法は、ユーザ端末（ＵＥ）に対して、チャネルパートと干渉パートとに関連付けられたマルチユーザ（ＭＵ）多入力多出力（ＭＩＭＯ）用のチャネル状態情報（ＣＳＩ）プロセスを構成することと、前記干渉パートに従って、前記ＵＥが、セル間干渉（ＩＣＩ）を測定又は推定し、且つセル内干渉を計算又は推定するように構成することと、を含む。他の装置、システム、及び方法も開示されている。【選択図】図１
2016508338.tif 000002
【特許請求の範囲】
【請求項１】
移動体通信システムにおいて用いられる基地局で実装される方法であって、
ユーザ端末（ＵＥ）に対して、チャネルパート及び干渉パートに関連付けられたマルチユーザ（ＭＵ）多入力多出力（ＭＩＭＯ）用のチャネル状態情報（ＣＳＩ）プロセスを構成することと、
前記干渉パートに従って、ＵＥが、セル間干渉（ＩＣＩ）を測定又は推定し、且つセル内干渉を計算又は推定するように構成すること、を含む方法。
【請求項２】
前記チャネルパートは、サービスをしている送信ポイント（ＴＰ）から見たチャネルを表す、請求項１に記載の方法。
【請求項３】
前記チャネルパートに対しては、非ゼロ電力（ＮＺＰ）ＣＳＩ参照信号（ＲＳ）リソースを用いてチャネル推定が獲得される、請求項１に記載の方法。
【請求項４】
前記干渉パートは、干渉測定リソース（ＩＭＲ）内の、ゼロ電力（ＺＰ）ＣＳＩ参照信号（ＲＳ）リソースと関連付けられる、請求項１に記載の方法。
【請求項５】
前記ＭＵ−ＭＩＮＯ用ＣＳＩプロセスは、前記ＵＥがそれにわたってＣＳＩを通知する複数のインターバルを定義する、請求項１に記載の方法。
【請求項６】
非ゼロ電力（ＮＺＰ）ＣＳＩ参照信号（ＲＳ）リソースを含むインターバルのシーケンスは、干渉測定リソース（ＩＭＲ）を含むシーケンスと共に構成され、及び
ＩＭＲリソース要素（ＲＥ）の各セットは、ＮＺＰＣＳＩ−ＲＳのＲＥのセットと関連付けられている、請求項５に記載の方法。
【請求項７】
前記ＵＥに対して、前記チャネルパート及び前記干渉パートに関連付けられた単一ユーザ（ＳＵ）多入力多出力（ＭＩＭＯ）用のＣＳＩプロセスを構成すること、を更に含む、請求項１に記載の方法。
【請求項８】
前記移動体通信システムは、前記ＭＵ−ＭＩＭＯ用ＣＳＩプロセスを含む複数のＣＳＩプロセスを許容する、請求項１に記載の方法。
【請求項９】
前記複数のＣＳＩプロセスの数は２である、請求項８に記載の方法。
【請求項１０】
前記セル内干渉は、参照基準用ＣＳＩプロセスに対して決定されるプリコーダ又は前記プリコーダの標示を用いてエミュレートされ、その際、セル内干渉信号は、Ｍｔ（ただしＭｔは、サービス中の送信ポイント（ＴＰ）の送信アンテナの数である）次元ベクトル空間
【数１】
2016508338.tif 000109
のサブ空間内に等方的に分散されているという仮定がなされる、請求項１に記載の方法。
【請求項１１】
前記セル内干渉は、参照基準用ＣＳＩプロセスに対して決定されるプリコーダ又はプリコーダの標示を用いて、エミュレートされ、その際、干渉するベクトルは、あらかじめ定められたプリコーダコードブックサブセット内に一様に分散されているという仮定がなされる、請求項１に記載の方法。
【請求項１２】
前記ＵＥは、参照基準用ＣＳＩプロセス用が、セル内干渉をエミュレートするように決定された第１のプリコーダ又は前記第１のプリコーダの標示から、第２のプリコーダ又は前記第２のプリコーダの標示を取得するために規則にしたがう、請求項１に記載の方法。
【請求項１３】
前記ＵＥは、プリコーディング行列インジケータ（ＰＭＩ）及びチャネル品質指標（ＣＱＩ）又は信号対干渉雑音比（ＳＩＮＲ）を含むＭＵ−ＣＳＩを通知し、そのために、前記ＵＥは、前記ＭＵ−ＭＩＮＯ用ＣＳＩプロセス用に擬似静的に構成された他のサブセット内のそれぞれのプリコーダをチェックし、前記セル内干渉のエミュレーションを、それぞれのプリコーダに対して実行し、ＭＵ−ＳＩＮＲを計算する、請求項１に記載の方法。
【請求項１４】
前記ＵＥは、参照基準用ＣＳＩプロセス用に決定された第１のプリコーダ又は前記第１のプリコーダの標示と、前記セル内干渉用に決定された第２のプリコーダ又は前記第２のプリコーダの標示と、を仮定し、
干渉用の電力スケーリング係数は、擬似静的に構成され、及び
前記ＵＥは、第２のＰＭＩとＭＵ信号対干渉雑音比（ＳＩＮＲ）を通知する、請求項１に記載の方法。
【請求項１５】
特定のコードブックサブセットを構成し、前記ＵＥに対して擬似静的に伝達することを更に含み、
前記ＵＥは、前記コードブックサブセットを、前記第２のプリコーダを探すために仮定し、及び
前記特定のコードブックサブセットは、前記第１のプリコーダに応じて変化する、請求項１４に記載の方法。
【請求項１６】
前記ＭＵ−ＭＩＮＯ用ＣＳＩプロセスが、規則を特定し、該規則においては、参照基準用ＣＳＩプロセスにおけるプリコーダ又は前記プリコーダの標示が、コードブックサブセットを特定するためにまず使われ、及び
単一ユーザ（ＳＵ）多入力多出力（ＭＩＭＯ）規則が、コードブックサブセット内のプリコーディング行列インジケータ（ＰＭＩ）及び信号対干渉雑音比（ＳＩＮＲ）を決定するために次に使われる、請求項１の方法。
【請求項１７】
前記特定のコードブックサブセットを構成し、前記ＵＥに対して擬似静的に伝達することを更に含み、
前記特定のコードブックサブセットは、参照用ＰＭＩに応じて変化する、請求項１６に記載の方法。
【請求項１８】
移動体通信システムにおいて用いられるユーザ端末（ＵＥ）で実装される方法であって、
チャネルパート及び干渉パートに関連付けられたマルチユーザ（ＭＵ）多入力多出力（ＭＩＭＯ）用のチャネル状態情報（ＣＳＩ）プロセスを受信することと、
前記干渉パートに従って、セル間干渉（ＩＣＩ）を測定又は推定し、且つセル内干渉を計算又は推定することと、を含む方法。
【請求項１９】
ユーザ端末（ＵＥ）と、
ユーザ端末（ＵＥ）に対して、チャネルパート及び干渉パートと関連付けられたマルチユーザ（ＭＵ）多入力多出力（ＭＩＭＯ）用のチャネル状態情報（ＣＳＩ）プロセスを構成する基地局と、を含み、
前記干渉パートに従って、前記ＵＥはセル間干渉（ＩＣＩ）を測定又は推定し、セル内干渉を計算又は推定するように構成されている、移動体通信システム。
【発明の詳細な説明】
【技術分野】
【０００１】
（関連出願の相互参照）
本出願は、２０１３年１月１７日出願の米国特許仮出願第６１／７５３，７３９号「ＤＬ  ＭＵ−ＭＩＭＯの改良」の利益を主張し、前記出願の内容は、本出願に参照により取り込まれる。
【背景技術】
【０００２】
本発明は、移動体又は無線通信システムに関し、特に、マルチユーザ（ＭＵ）多入力多出力（ＭＩＭＯ）運用におけるチャネル状態情報（ＣＳＩ）フィードバックに関する。
【０００３】
最近のＲＡＮ−１会議においては、下りリンク（ＤＬ）マルチユーザ（ＭＵ）多入力多出力（ＭＩＭＯ）運用をターゲットにしたＣＱＩ／ＰＭＩ通知の改良が、数社によって考慮された。本文書において本発明者らは、ＤＬ  ＭＵ−ＭＩＭＯ性能の向上を目的とした、簡単な、改良されたチャネル状態情報（ＣＳＩ）通知スキームを簡単に説明する。特に、まず、追加的残差ノルムのフィードバックを含む、改良されたＣＳＩ通知を検討する。この残差ノルムは、その通知されたプリコーダの直交補空間に残る、ユーザが見ているチャネルのエネルギーをキャプチャする。従ってそれは、前記ユーザに１人又はそれより多くの他のユーザと同期スケジュールされている場合に起こり得る干渉を示すものである。次に、ポストスケジューリングのセル内干渉の仮定の下で計算される追加的ＣＱＩ／ＰＭＩ（別名：ＭＵ−ＣＱＩ／ＰＭＩ）を含む別の改良されたＣＳＩ通知スキームを考慮する。
【先行技術文献】
【非特許文献】
【０００４】
【非特許文献１】ＮＥＣ  Ｇｒｏｕｐ，「ＭＵ−ＭＩＭＯ：ＣＱＩ  Ｃｏｍｐｕｔａｔｉｏｎ  ａｎｄ  ＰＭＩ  Ｓｅｌｅｃｔｉｏｎ（ＭＵ−ＭＩＭＯ：ＣＱＩ計算及びＰＭＩ選択），」３ＧＰＰ  ＴＳＧ  ＲＡＮ  ＷＧ１  Ｒ１−１０３８３２。
【非特許文献２】ＮＥＣ  Ｇｒｏｕｐ，「ＤＬ  ＭＵ−ＭＩＭＯ  ｅｎｈａｎｃｅｍｅｎｔ  ｖｉａ  Ｒｅｓｉｄｕａｌ  Ｅｒｒｏｒ  Ｎｏｒｍ  ｆｅｅｄｂａｃｋ（残差ノルムフィードバックを通じたＤＬ  ＭＵ−ＭＩＭＯ改良）」３ＧＰＰ  ＴＳＧ  ＲＡＮ  ＷＧ１  Ｒ１−１１３８７４。
【発明の概要】
【発明が解決しようとする課題】
【０００５】
本発明の目的の一つは、ＭＵ−ＭＩＭＯ動作下で、改良されたＣＳＩ通知スキームを提供することである。
【課題を解決するための手段】
【０００６】
本発明の一態様は、移動体通信システムにおいて用いられる基地局で実装される方法である。前記方法は、ユーザ端末（ＵＥ）に対して、チャネルパートと干渉パートとに関連付けられたマルチユーザ（ＭＵ）多入力多出力（ＭＩＭＯ）用のチャネル状態情報（ＣＳＩ）プロセスを構成することと、前記干渉パートに従って、前記ＵＥが、セル間干渉（ＩＣＩ）を測定又は推定し、且つセル内干渉を計算又は推定するように構成することと、を含む。
【０００７】
本発明の他の一態様は、移動体通信システムにおいて用いられるユーザ端末（ＵＥ）で実装される方法である。前記方法は、チャネルパートと干渉パートとに関連付けられたマルチユーザ（ＭＵ）多入力多出力（ＭＩＭＯ）用のチャネル状態情報（ＣＳＩ）プロセスを受信することと、前記干渉パートに従って、セル間干渉（ＩＣＩ）を測定又は推定し、且つセル内干渉を計算又は推定することと、を含む。
【０００８】
本発明の更に他の一態様は、移動体通信システムを含み、前記システムは、ユーザ端末（ＵＥ）と、基地局とを含み、前記基地局は、前記ユーザ端末（ＵＥ）に対して、チャネルパート及び干渉パートに関連付けられたマルチユーザ（ＭＵ）多入力多出力（ＭＩＭＯ）用のチャネル状態情報（ＣＳＩ）プロセスを構成し、且つ、前記干渉パートに従って、前記ＵＥがセル間干渉（ＩＣＩ）を測定又は推定し、セル内干渉を計算又は推定するように構成されている。
【図面の簡単な説明】
【０００９】
【図１】ＭＵ−ＭＩＭＯネットワークシステムを図示している。
【図２】本明細書で開示される方法の、詳細なブロック図を図示している。
【図３】本明細書で開示される方法の、別の詳細なブロック図を図示している。
【図４】本明細書で開示される方法の、更に別の詳細なブロック図を図示している。
【発明を実施するための形態】
【００１０】
１．残差ノルムフィードバックを通じた拡張されたＭＵ−ＭＩＭＯ動作
本スキームの下では、ユーザは、ｅＮＢによって構成されると、ＳＵ−ＭＩＭＯ  ＣＳＩと残差項を通知する。ｅＮＢは、ユーザを（追加的フィードバックを通知するように）擬似静的に構成してもよい。本発明者らは、残差ノルムと呼ばれる単純な形式の残差を考える。ＳＵ−ＭＩＭＯ規則を使用して、対象ユーザはまず、あるランクｒのＰＭＩ
【００１１】
【数１】
2016508338.tif 000003
からなるＳＵ−ＭＩＭＯ  ＣＳＩを、ｒ個の量子化された信号対干渉雑音比（ＳＩＮＲ）
【００１２】
【数２】
2016508338.tif 000004
と共に求める。なお、ｒが、ユーザによって求められても、あるいはコードブックサブセット制限を介してｅＮＢによって実施されてもよいことに留意されたい。残差ノルムは、ユーザによって、
【００１３】
【数３】
2016508338.tif 000005
のように求められるが、式中、ｔｒ（．）はトレース演算を示し、Ｈ†は、対象ユーザによってＤＬにおいて見られているチャネル行列を示し、Ｆは、ＳＵ−ＭＩＭＯ  ＣＳＩの生成１のためにユーザが計算するフィルタ行列であり、
【００１４】
【数４】
2016508338.tif 000006
は射影行列である。なお、
【００１５】
【数５】
2016508338.tif 000007
は、通知されたプリコーダ
【００１６】
【数６】
2016508338.tif 000008
の直交補空間に存在する、フィルタリングされたチャネルの成分中の残留総エネルギーを表すことに留意されたい。ユーザは、通常のＳＵ−ＭＩＭＯ  ＣＳＩを、残差ノルム
【００１７】
【数７】
2016508338.tif 000009
を使用して算出される正規化された残差ノルムεと共に通知するが、上式においては、
【００１８】
【数８】
2016508338.tif 000010
である。ｅＮＢは、各ユーザによって通知された残差ノルムを使用して、ＭＵ−ＭＩＮＯ内における任意に選択されるユーザペアリングに関する正確なＳＩＮＲを求めてもよい。これを実現するために、前記ペアリングが対象ユーザを含むケースを考える。ｅＮＢは、前記ユーザのフィルタリングされたチャネル行列（ＦＨ†）の、精密な近似
【００１９】
【数９】
2016508338.tif 000011
を用いる。上式中、
【００２０】
【数１０】
2016508338.tif 000012
は、その各列が
【００２１】
【数１１】
2016508338.tif 000013
の直交補空間にあるセミユニタリ行列であり、すなわち
【００２２】
【数１２】
2016508338.tif 000014
である。また、
【００２３】
【数１３】
2016508338.tif 000015
は、フロベニウスノルム制約
【００２４】
【数１４】
2016508338.tif 000016
を満たす行列である。なお、式中ε＞０は、ユーザによって通知された、正規化された残差ノルムであり、ρは、リソース要素当たりエネルギー（ＥＰＲＥ）又は、等価的に、平均送信電力、若しくは前記ユーザに対して構成された平均送信電力バウンドを示し、また、一方で、
【００２５】
【数１５】
2016508338.tif 000017
である。次に、ｅＮＢによって選択された送信プリコーダＵが、
【００２６】
【数１６】
2016508338.tif 000018
として解析されるものと仮定する。なお、式中、
【００２７】
【数１７】
2016508338.tif 000019
は、他の同期スケジューリングされた（ペアリングされた）ユーザに対して意図された送信プリコーダ行列の各列を含む。適切に設計された送信プリコーダの場合、ｅＮＢは、Ｕが、ユーザがその意図された信号を受信することを望む好ましい方向をその各列が表す
【００２８】
【数１８】
2016508338.tif 000020
の範囲内に（ほぼ）存在する（その結果、
【００２９】
【数１９】
2016508338.tif 000021
である）という合理的な仮定をしてもよい。それにより、よりＭＵ−ＭＩＭＯ動作に適合したモデルを得ることができるが、前記モデルにおいては、対象ユーザがＭＵ−ＭＩＮＯのスケジューリング後に見るチャネル出力が、
【００３０】
【数２０】
2016508338.tif 000022
のようにモデル化される。
【００３１】
式（１）のモデルは、
【００３２】
【数２１】
2016508338.tif 000023
の直交補空間内における
【００３３】
【数２２】
2016508338.tif 000024
の成分も、ユーザに干渉する可能性があるということを裏付けている。ＳＵ−ＭＩＭＯ  ＣＳＩのみが、正規化された残差ノルムと共にユーザによって通知される場合、式（１）のモデルにおいては、ｅＮＢは、セミユニタリ行列Ｑが、
【００３４】
【数２３】
2016508338.tif 000025
によって求められる部分空間に存在するということを推定できるに過ぎず、Ｒも、
【００３５】
【数２４】
2016508338.tif 000026
という事実を除いて未知であるということに留意されたい。［２］において、ｅＮＢが、ＭＵ−ＭＩＮＯのＳＩＮＲの計算に、どのようにして式（１）のモデルを使うのかを説明する。
【００３６】
１セル間干渉（ＩＣＩ）を抑制するための白色化演算がなされ、白色化行列が行列Ｈ†に吸収される一方で、フィルタ行列Ｆが、対象ユーザに割り当てられたストリーム間の相互干渉を考慮する、と仮定することが可能である。あるいは、行列Ｆが、ＩＣＩも考慮し、抑制することが可能である。
【００３７】
１．１残差ノルム（ＲＥＮ）の再解釈
周知のように、ＲＥＮは、式
【００３８】
【数２５】
2016508338.tif 000027
で求められる。ただし上式中
【００３９】
【数２６】
2016508338.tif 000028
である。射影の範囲に等方的に分散されたランダムベクトルｚの共分散行列Ｐは、
【００４０】
【数２７】
2016508338.tif 000029
に等しく、上式中のδ＞０はスカラーである。その結果、
【００４１】
【数２８】
2016508338.tif 000030
であるから、ＲＥＮは（ある倍率までは）、Ｐの範囲に等方的に分散され、フィルタＦが受信者によって使用されるプリコーディングベクトルに沿って送信される信号の平均受信電力（等価的には、ＳＵ送信下のＳＩＮＲ）と等しいということが理解できる。この理解から次のようなことが分かる。ＲＥＮは、以下の手順で近似可能である。まず、コードブック内の、
【００４２】
【数２９】
2016508338.tif 000031
に垂直なベクトルによって形成されるコードブックサブセットを考える。次に、それらのベクトルの各々に対して、ＳＵ−ＭＩＭＯ規則を用いて、ＳＩＮＲ（又はチャネル品質指標（ＣＱＩ））を求める。なおここで、フィルタリングされたチャネル行列ＦＨ†は、有効なチャネル行列２として用いられる、そして最後に、得られたＳＩＮＲの平均を求める。
【００４３】
２もし
【００４４】
【数３０】
2016508338.tif 000032
がランク１のベクトルの場合には、Ｆを無視できる。
【００４５】
２．ＭＵ−ＭＩＮＯのＣＱＩ及びＰＭＩを介した、拡張されたＭＵ−ＭＩＭＯ動作
本スキームの下では、ユーザ自身が、以下の形のポストスケジューリングモデルを仮定する：
【００４６】
【数３１】
2016508338.tif 000033
上式（２）中、
【００４７】
【数３２】
2016508338.tif 000034
は、考慮中の（又は、ＳＵ−ＭＩＭＯ規則を用いてアプリオリに決定される）プリコーダを示し、
【００４８】
【数３３】
2016508338.tif 000035
は、
【００４９】
【数３４】
2016508338.tif 000036
の範囲に等方的に分散されていると、ユーザによって仮定されている。次に、ＭＵ−ＳＩＮＲを求めるために、ユーザは、
【００５０】
【数３５】
2016508338.tif 000037
内の特定の数の列を、スケジューリングされたストリーム当たり等しい電力を有するものと仮定するか、又はＥＰＲＥのある部分が、Ｕのすべての列の間で等しく共有され、残りの部分が、
【００５１】
【数３６】
2016508338.tif 000038
のすべての列で等しく共有される、一様ではない電力の割り当てを仮定する［１］。
【００５２】
３．より拡張されたユーザフィードバック
残差、すなわち
【００５３】
【数３７】
2016508338.tif 000039
の直交補空間内のフィルタリングされたユーザチャネルＦＨ†の成分が、
【００５４】
【数３８】
2016508338.tif 000040
によって与えられるということにまず注目する。
【００５５】
【数３９】
2016508338.tif 000041
を使用した正規化の後で、この成分は
【００５６】
【数４０】
2016508338.tif 000042
になる。ユーザは
【００５７】
【数４１】
2016508338.tif 000043
と共に
【００５８】
【数４２】
2016508338.tif 000044
を通知する。加えて、ユーザは、直交補空間内の正規化された成分（正規化された残差）に関する情報を通知してもよい。前述のように、単純な態様では、次式（３）で与えられる、正規化された残差ノルムを通知することである：
【００５９】
【数４３】
2016508338.tif 000045
【００６０】
より複雑な態様では、ＭＵ−ＭＩＮＯにおける任意のユーザペアリングの選択に対して、ｅＮＢでの更により正確なＳＩＮＲの計算が可能になる。これらは、以下を含む：
・ユーザ−１が、
【００６１】
【数４４】
2016508338.tif 000046
のＱＲ分解を、次式（４）によって得る。
【００６２】
【数４５】
2016508338.tif 000047
上式（４）中、
【００６３】
【数４６】
2016508338.tif 000048
は、その各列が
【００６４】
【数４７】
2016508338.tif 000049
の直交補空間に存在し（すなわち
【００６５】
【数４８】
2016508338.tif 000050
であって）、且つ
【００６６】
【数４９】
2016508338.tif 000051
が、フロベニウスノルム制約
【００６７】
【数５０】
2016508338.tif 000052
（ただしεは、正規化された残差ノルム）を満たす行列であるセミユニタリ行列である。なお、式（４）中の行列
【００６８】
【数５１】
2016508338.tif 000053
が、式（１）中のＱと同じであり、一方で、
【００６９】
【数５２】
2016508338.tif 000054
であることに留意されたい。次にユーザ−１は、
【００７０】
【数５３】
2016508338.tif 000055
の第１の少数の最大対角値を、Ｑの対応する各列を量子化したうえでこれらの列と共に通知してもよい。加えて、ユーザ−１は、正規化された残差ノルムεを通知してもよい。
【００７１】
【数５４】
2016508338.tif 000056
の、通知すべき最大対角値の数は、ｅＮＢが設定してもよく、又はユーザは、ｅＮＢが指定した閾値よりも大きいすべての最大対角値を通知してもよい。ｅＮＢはこの通知を受信し、それをＳＩＮＲの計算に使用する。
・別の形式の残差フィードバックにおいては、ユーザは、次式（５）で与えられる、
【００７２】
【数５５】
2016508338.tif 000057
の特異値分解を得る：
【００７３】
【数５６】
2016508338.tif 000058
上式中、
【００７４】
【数５７】
2016508338.tif 000059
は、それぞれセミユニタリ行列及びユニタリ行列であり、
【００７５】
【数５８】
2016508338.tif 000060
の最大対角値は特異値である。次に、ユーザ−１は、
【００７６】
【数５９】
2016508338.tif 000061
における第１少数最大特異値を、
【００７７】
【数６０】
2016508338.tif 000062
の対応する各列を量子化した後でこれらの列と共に通知してよい。加えて、ユーザ−１は、正規化された残差ノルムεを通知してもよい。通知すべき特異値の数は、ｅＮＢが設定してもよく、又は、ユーザはｅＮＢが指定した閾値よりも大きいすべての特異値を通知してもよい。ｅＮＢはこの通知を受信し、それをＳＩＮＲの計算に使用する。
【００７８】
４．拡張されたユーザフィードバックのシグナリング
各チャネル状態情報（ＣＳＩ）通知インターバルにおいて、ユーザはそのＣＳＩを通知する。ｅＮＢは、ユーザが周期的にＣＳＩ通知をするように構成し、その周期とオフセットを固定してもよいが、前記周期とオフセットとによって、ユーザがそのＣＳＩを通知するためのインターバルの厳密なシーケンスが決定される。このシーケンスを、以下ではＣＳＩ通知のシーケンスと呼ぶ。
【００７９】
４．１拡張されたＣＳＩフィードバック及び基準ＣＳＩフィードバックの多重化
ｅＮＢは、過度のフィードバックオーバーヘッドなしに、ＭＵ−ＭＩＮＯ  ＳＩＮＲの計算を正確に行う利点を得るために、ユーザが拡張されたフィードバックを通知するインターバルをユーザがそのＳＵ−ＭＩＭＯ  ＣＳＩフィードバックのみを通知するインターバルによって多重化してもよい。ＣＳＩ通知のシーケンス内の拡張されたフィードバックに関して指定されたインターバルによって形成されるサブシーケンスの周期及びオフセットは、ユーザの可動性などの因子に基づいてｅＮＢによって構成されてもよい。それゆえ、特に以下の点が重要である：
・ユーザは、ＣＳＩ通知のシーケンスにおいて、ＳＵ−ＭＩＭＯ  ＣＳＩフィードバックのみに関して指定されたインターバルで、ユーザの好ましいプリコーダ行列
【００８０】
【数６１】
2016508338.tif 000063
及び（ＳＵ−ＭＩＭＯ規則を使用して求められる）対応する量子化された各ＳＩＮＲを通知する。ユーザは、ユーザがｅＮＢによって指定された特定のランクであるかまたはｅＮＢによって指定されたコードブックサブセットに属さなければならないという制約の下で複数の行列のコードブックからユーザの好ましいプリコーダ行列を選択するか、あるいはｅＮＢによって課されている制限がない場合にユーザの好ましいプリコーダ行列を自由に選択してもよい。
・拡張されたフィードバックに対して指定された各インターバルにおいて、ユーザはまず、ＳＵ−ＭＩＭＯ規則を使用して、プリコーダ
【００８１】
【数６２】
2016508338.tif 000064
及び対応する各ＳＩＮＲを有するユーザのＳＵ−ＭＩＭＯ  ＣＳＩを求めてもよい。前述のように、ユーザは、ｅＮＢによって課されているランクまたはコードブックサブセットに対する制限（もしあれば）に従う。ユーザは、
【００８２】
【数６３】
2016508338.tif 000065
（対応する量子化された各ＳＩＮＲによって形成される）を使用して上述の残差フィードバックの形式のいずれかを求める。特定のフィードバック形式はｅＮＢによって構成される。ユーザは次いで、そのＳＵ−ＭＩＭＯ  ＣＳＩを特定の残差フィードバック形式と一緒に通知する。ＳＵ−ＭＩＭＯ  ＣＳＩ及び残差フィードバック形式を通知する際に差分フィードバックを利用してもよい。例えば、残差フィードバック形式が量子化された正規化された残差ノルムのみから成る場合、ユーザは、ＳＵ−ＭＩＭＯ  ＣＳＩ、及び通知された最大の（または最小の）ＳＵ−ＭＩＭＯ  ＳＩＮＲと残差ノルムとの差を通知してもよい。ユーザが残差フィードバック形式を再構成するのを可能にする、差分フィードバックについてユーザが採用する決まり事も、ｅＮＢによって構成される。
・あるいは、拡張されたフィードバックに関して指定された各インターバルにおいて、ユーザはまず、ｅＮＢによって課されているランクまたはコードブックサブセットに対する制限の下でユーザのＳＵ−ＭＩＭＯ  ＣＳＩを求めてもよく、この制限は、拡張されたフィードバックに関して指定されるインターバルにのみ適用される。ｅＮＢは、ＣＳＩ通知のシーケンスにおける他のインターバルに任意の制限を自由に選択してもよい。ユーザは次いで、求められたプリコーダ
【００８３】
【数６４】
2016508338.tif 000066
（対応する量子化された各ＳＩＮＲによって形成される）を使用して、ｅＮＢによって構成された残差フィードバック形式を求めて、その得られた形式を、ユーザのＳＵ−ＭＩＭＯ  ＣＳＩと共に通知する。
・拡張されたフィードバックに関して指定される各インターバルの別の態様も考えられる。ここで、ＳＵ−ＭＩＭＯ規則を介して求められるプリコーダ
【００８４】
【数６５】
2016508338.tif 000067
のランク自体が、ＳＵ−ＭＩＭＯ  ＣＳＩフィードバックのみに関して指定された以前のＳ個のインターバルにおいてユーザによって選択されたプリコーダの以前のＳ個のランクの関数であってもよい。この関数は、事前に定義され、ユーザとｅＮＢの両方に既知である。一例として、Ｓ＝１であり、規則によれば、ＳＵ−ＭＩＭＯ  ＳＣＩフィードバックのみに関して指定された前のインターバルにおけるランクが１に等しい場合に、拡張されたフィードバックに関して指定された現在のインターバルについて選択されるランクは１に等しく、他の場合には現在のインターバルにおけるランクは２である。あるいは、
【００８５】
【数６６】
2016508338.tif 000068
自体が、ＳＵ−ＭＩＭＯ  ＣＳＩフィードバックのみに関して指定された以前のＳ個のインターバルにおいてユーザによって選択された以前のＳ個のプリコーダ（及びそれに対応する各ＳＩＮＲ）の関数であってもよい。この関数は、事前に定義され、ユーザとｅＮＢの両方に既知である。この場合、
【００８６】
【数６７】
2016508338.tif 000069
は、ｅＮＢによって推定することができるのでユーザによって通知される必要はない。
【００８７】
上述のＣＳＩ通知のシーケンスの特殊なケースは、シーケンスにおける各インターバルがＳＵ−ＭＩＭＯ  ＣＳＩ専用フィードバックに関して指定される基準ケース、及びシーケンスにおける各インターバルが拡張されたフィードバックに関して指定されるケースであることに留意されたい。最後に、フィードバックオーバーヘッドを低減させる態様として、すべての前述の代替態様において、各ＣＳＩ通知は広帯域プリコーダ行列（すなわち、すべてのサブ帯域に共通するプリコーダ行列）をサブ帯域固有の各ＳＩＮＲ及びサブ帯域固有の各残差フィードバック形式と一緒に含んでもよい。
【００８８】
４．２拡張された及び基準のフィードバックの組み合わせ
ＭＵ−ＭＩＭＯ  ＳＩＮＲの計算を正確に行いかつ融通性に富んだスケジューリングを実現する完全な利点を得るために、ＳＵ−ＭＩＭＯ  ＣＳＩ通知と拡張されたＣＳＩ通知を組み合わせてもよい。それゆえ、特に以下の点が重要である：
・各インターバルにおいて、ユーザはまず、ＳＵ−ＭＩＭＯ規則を使用してユーザの好ましいプリコーダ行列
【００８９】
【数６８】
2016508338.tif 000070
及び対応する量子化された各ＳＩＮＲを求めてもよい。ユーザは、ユーザがｅＮＢによって指定された特定のランクであるか又はｅＮＢによって指定されたコードブックサブセットに属するかという制約の下でユーザの好ましいプリコーダ行列を選択してよい。あるいは、ｅＮＢによって課されている制限がない場合にユーザの好ましいプリコーダ行列を自由に選択してもよい。次に、同じインターバルにおいて、ユーザは、ＳＵ−ＭＩＭＯ規則を使用して別のプリコーダ行列
【００９０】
【数６９】
2016508338.tif 000071
及び対応する各ＳＩＮＲを求めてもよい。ｅＮＢは、
【００９１】
【数７０】
2016508338.tif 000072
が従わねばならない、ランクまたはコードブックサブセットに対する別個の制限を設定してもよい。この場合、
【００９２】
【数７１】
2016508338.tif 000073
に対して実施されるランクがたまたま
【００９３】
【数７２】
2016508338.tif 000074
のランクに等しい場合、
【００９４】
【数７３】
2016508338.tif 000075
及びそれに対応する量子化された各ＳＩＮＲは、通知する必要がないことに留意されたい。それは、これらの対が、
【００９５】
【数７４】
2016508338.tif 000076
とそれに対応する量子化された各ＳＩＮＲの対とが共にＳＵ−ＭＩＭＯ規則を使用して求められるため、それぞれ同一であるためである。あるいは、プリコーダ
【００９６】
【数７５】
2016508338.tif 000077
のランク自体が、
【００９７】
【数７６】
2016508338.tif 000078
のランクの関数であってもよい。この関数は、事前に定義され、ユーザとｅＮＢの両方に既知である。例示的な規則によれば、
【００９８】
【数７７】
2016508338.tif 000079
のランクが１である場合には、
【００９９】
【数７８】
2016508338.tif 000080
のランクは１に等しくなければならず、その他の場合には、
【０１００】
【数７９】
2016508338.tif 000081
のランクは２である。いずれの場合も、ユーザは、
【０１０１】
【数８０】
2016508338.tif 000082
を対応する各ＳＩＮＲと一緒に使用して、ｅＮＢによって構成された残差フィードバック形式を判定する。このとき、ユーザフィードバックレポートは、
【０１０２】
【数８１】
2016508338.tif 000083
及び対応する量子化された各ＳＩＮＲ、
【０１０３】
【数８２】
2016508338.tif 000084
及びそれに対応する量子化された各ＳＩＮＲ、並びに残差フィードバック形式を含む。この場合も、このＣＳＩを通知する際に差分フィードバックを利用してもよい。
・あるいは、
【０１０４】
【数８３】
2016508338.tif 000085
自体が、
【０１０５】
【数８４】
2016508338.tif 000086
に対応する各ＳＩＮＲの関数であってもよく、そのため、通知をする必要がない。それは、前記関数が事前に定義され、ユーザとｅＮＢの両方に既知であるためである。例えば、
【０１０６】
【数８５】
2016508338.tif 000087
は、対応するＳＩＮＲが、
【０１０７】
【数８６】
2016508338.tif 000088
に対応するすべてのＳＩＮＲの間で最大である
【０１０８】
【数８７】
2016508338.tif 000089
の列であってよい。ここで、
【０１０９】
【数８８】
2016508338.tif 000090
と同一である場合、
【０１１０】
【数８９】
2016508338.tif 000091
に対応する量子化されたＳＩＮＲさえも通知する必要がないことに留意されたい。それは、両者が
【０１１１】
【数９０】
2016508338.tif 000092
に対応する量子化されたＳＩＮＲにそれぞれ同一であるためである。
【０１１２】
最後に、フィードバックオーバーヘッドを低減させる態様として、すべての前述の代替態様において、各ＣＳＩ通知は、広帯域
【０１１３】
【数９１】
2016508338.tif 000093
を、サブ帯域固有のＳＩＮＲ及びサブバンド固有の残差フィードバック形式と共に含んでいてよい。
【０１１４】
５．拡張されたユーザフィードバックの複数のＣＳＩプロセスを通じたシグナリング
ここで、ＣＳＩは、ある送信仮説を仮定した上で、ユーザによって求められるということに留意されたい。例えば、図１を参照すると、ＳＵ−ＭＩＭＯ  ＣＳＩが、ユーザ又はユーザ端末（ＵＥ）１００により求められるが、その際、以下の仮定に基いている。同ユーザ又はＵＥ１００のみがｅＮＢ（又は、そのセル１０６内の送信ポイント（ＴＰ）若しくは基地局Ａ０４）によってサービス（符号１０３）されており、いかなる他のユーザ１０２も、自らが割り当てられたＲＢ上で自らと同期スケジューリングされず、セル内干渉１０５が起こらず、他のセル１１２のＴＰ  １１０による送信を原因として、セル間干渉（ＩＣＩ）１１１が起こるのみである。他方、ＭＵ−ＭＩＮＯ  ＣＳＩがユーザ１００により求められるが、その際に基く仮定は、他のユーザ１０２が同期スケジューリングされるので、セル内干渉１０５のポストスケジューリングも起こるであろうというものである。一般に、それぞれの仮説を、１つの「チャネルパート」と、１つの「干渉パート（図２中ブロック２０１Ａ）」とに関連付けられたＣＳＩ−プロセスのメカニズムを用いて捉えることができる。なお、前記チャネルパートとは、サービスをしているＴＰからみたチャネルを（又は、等価的には、非ゼロ電力（ＮＺＰ）ＣＳＩ−ＲＳリソースであり、それを用いてチャネルの推定が得られるもの）を表している。更に本干渉パートは、ＲＥの１つのセット（干渉測定リソース（ＩＭＲ）と呼ばれる、ゼロ電力（ＺＰ）ＣＳＩ−ＲＳリソース）と関連付けられ得る（図２のブロック２０４）。ＵＥは、干渉３の共分散行列を、それらの各ＲＥについて直接測定又は推定するように単に命じられ得る。そして、それらのＲＥのそれぞれに対して、コントローラがＵＥに測定してほしい干渉を構成することは、コントローラに任されている。あるいは、ＵＥは、ＩＭＲ上の干渉（例えば、前記セル外からの干渉）を測定するように構成されてもよく（図２のブロック２０１Ｂ）、また、追加的セル内干渉を、サービス中のＴＰにより、対応するＮＺＰ  ＣＳＩ−ＲＳリソースから（図２のブロック２０３）決定される（図２のブロック２０２）チャネル推定を用いて（図２のブロック２０１Ｂ）エミュレートするように構成されてもよい。それぞれのＣＳＩプロセスは、ＵＥがそのＣＳＩ（図２のブロック２０５）を測定し、通知する複数のインターバルを定義することができる。例えば、コントローラにより、前記ＵＥに対して、ＮＺＰ−ＣＳＩ−ＲＳリソースを含むインターバルのシーケンスが、ＩＭＲを含むシーケンスと共に、構成され得る。なお、ＩＭＲのＲＥのそれぞれのセットが、ＮＺＰ−ＣＳＩ−ＲＳのＲＥの１つのセットに関連付けられている（図２のブロック２０６）。次にＵＥは、関連付けられたセットの上記のようなペアの各々を用いて、そのＣＳＩを計算し、通知する。
【０１１５】
３長い表現を避けるために、以後は、「共分散行列」という用語を省略し、単に「干渉を測定／推定する」という用語を用いる。
【０１１６】
なお、ここで、最大ＭＵ−ＭＩＮＯ利得を実現するためには、ネットワークは複数のＣＳＩ−プロセスが、異なるＩＭＲと、及び／又はそれぞれの干渉のエミュレーションのため、そしてそれぞれのＣＳＩの計算のための異なる規則とによって、１つのＵＥに対して構成されるようにするとよい（図２のブロック２０８）。基準として、ＳＵ−ＭＩＭＯフィードバックを、ＣＳＩ−プロセスにより得ることができるが、そこでは、ＩＭＲが前記ＵＥがＩＣＩを測定するように構成され、且つＮＺＰ−ＣＳＩ−ＲＳリソースが前記ＵＥに、その属するセル内でサービス中のＴＰからチャネル推定を獲得できるようにしている（図２のブロック２０７）。ＩＭＲに対する特別な値がデフォルト値とされ、その値は、ＵＥが直接セル間干渉（ＩＣＩ）を測定することを可能にするようには、ＲＥがリザーブされていないということを示している。この場合に、ＵＥは、例えば、まず、ＮＺＰ  ＣＳＩ−ＲＳリソースＲＥのそれぞれからチャネルを推定し、次に（推定したチャネルと参照記号との積を減算した後に）同じＲＥを用いてＩＣＩの推定も行う。
【０１１７】
オーバーヘッドと複雑性とを制限するために、１つのＵＥに構成し得る別々のＣＳＩ−プロセスの数に制限を設けてよい。そのような制限として良好な値としては、２がある（図２のブロック２０９）。先に進む前に、一点注記すると、セクション４．１で論じた「ＵＥがそのＳＵ−ＭＩＭＯ  ＣＳＩフィードバックのみを通知するインターバルのシーケンス」は、ここで論じた基準ＣＳＩ−プロセスにより同様に説明可能である。同様に、セクション４．１で論じた「ＵＥがその拡張されたフィードバックを通知するインターバルのシーケンス」の各例は、ＣＳＩを計算するためのことなる規則が構成された他のＣＳＩ−プロセスと同様である。ＣＳＩプロセスの例を、いくつか以下に検討する：
【０１１８】
（ａ）ＵＥでのＭＵ−ＭＩＮＯ  ＣＳＩ計算を可能にするため、ＣＳＩ−プロセスは次のようにして構成されてよい。ＵＥは、ＩＭＲに基いて（又は、既に述べたように、ＩＭＲが１つも割り当てられていない場合には、他のＲＥを用いて）、ＩＣＩを測定し、追加的にセル内干渉をエミュレートするように構成されてよい。ＵＥは、他の参照基準となるＣＳＩ−プロセス用に決定されたプリコーダを用いて、且つ、セル内干渉信号は、Ｍｔ次元のベクトル空間
【０１１９】
【数９２】
2016508338.tif 000094
のサブ空間に、等方的に分散されていると仮定した上で（ただし、Ｍｔは、サービス中のＴＰにおける送信アンテナの数である）、上記のエミュレーションをするように構成されてよい（図３のブロック３１０）。このサブ空間は、
【０１２０】
【数９３】
2016508338.tif 000095
の範囲（ただし、
【０１２１】
【数９４】
2016508338.tif 000096
は、参照基準ＣＳＩプロセス（の中の対応するインターバル）に対して、ユーザにより決定され通知されたプリコーダを表す）として定義できる（図３のブロック３１１）。ここで直感的に分かるのは、
【０１２２】
【数９５】
2016508338.tif 000097
は、ユーザがそのデータを受信したいと望む好ましい方向を表すということである。それゆえ良好なＭＵ−ＭＩＮＯ送信プリコーダは、同期スケジューリングされるユーザそれぞれのデータは直交補空間内のそれぞれの方向（ベクトル）
【０１２３】
【数９６】
2016508338.tif 000098
に送信されるということを確実にすべきである。なお、上記のような干渉の共分散行列は、
【０１２４】
【数９７】
2016508338.tif 000099
であるが、式中の、係数αは、コントローラによって、ＵＥの、セル内干渉電力についての仮定を擬似静的に制御するために用いられてよい。あるいは、等方的分散を仮定する代わりに、ＵＥは、セル内干渉を、干渉するそれぞれのベクトルがあらかじめ定められたプリコーダのコードブックサブセットに一様に分散されるという仮定によって計算してもよく、そこでは、１つのそのようなサブセット（電力のスケーリング係数と共に）は、
【０１２５】
【数９８】
2016508338.tif 000100
のそれぞれの可能な選択に対して擬似静的に構成してよい。なお、いずれの場合にも、ＭＵ−ＳＩＮＲのみが、計算され通知される必要がある。
【０１２６】
（ｂ）参照基準ＣＳＩプロセスのＰＭＩを直接用いる代わりに、セクション４．１に説明された、改良されたＣＳＩ通知のインターバルのために用いるＰＭＩを、ＳＵ−ＭＩＭＯ  ＣＳＩフィードバックインターバルと指定されたインターバルにおいて決定されたＰＭＩから取得するのと同様の方法で、ＵＥは、ＰＭＩを参照基準ＣＳＩプロセスにおいて決定されるものから獲得するための規則に従うように構成されてもよい（図３のブロック３１２）。
【０１２７】
（ｃ）ｅＮＢは、ＵＥが、ＭＵ−ＣＳＩ（ＰＭＩ及びＣＱＩの両方を含む）を、基準プロセスのＰＭＩを用いることなく決定するように構成することもできる。この場合に、ＵＥは、前記プロセスのために擬似静的に構成された他のサブセット内のそれぞれのプリコーダＶを体系的にチェックし、それぞれのＶに対して、上述のようにセル内干渉のエミュレーションを実行でき、且つＭＵ−ＳＩＮＲを計算することができる（図３のブロック３１３）。そうしてＵＥは次に１つのＰＭＩを選択し、選択したＰＭＩを、対応するＳＩＮＲと共に通知する。
【０１２８】
（ｄ）他の変更例においては、ＵＥが、１つの（セル内）干渉物を仮定するように構成してよい。特に、参照基準プロセスからのＰＭＩ
【０１２９】
【数９９】
2016508338.tif 000101
が望ましいＰＭＩ（それと共に、より望ましい信号が送信される）と仮定し、且つ他の同伴するＰＭＩ
【０１３０】
【数１００】
2016508338.tif 000102
すなわちここでは、ＵＥがセル内干渉物と仮定する（それと共に同期スケジューリングされるユーザに対する信号が送信されるＰＭＩ）も決定される。前記干渉物に対してＵＥが仮定すべき、電力スケーリング係数は、擬似静的に構成されてよい。次にＵＥは、同伴するＰＭＩをＭＵ−ＳＩＮＲと共に決定し通知する（図４のブロック４１４）。またＵＥは、同伴するＰＭＩを探すにあたって、特定のコードブックサブセットを仮定するように構成されてもよい。そこでは、このサブセットが、ｅＮＢによって前記ＵＥに擬似静的に構成され、伝達される。なお、サブセットの選択自体は、好ましいＰＭＩ
【０１３１】
【数１０１】
2016508338.tif 000103
の選択と共に変わり得るものである（図４のブロック４１５）。
【０１３２】
（ｅ）先に触れたように、セクション４．１で論じたような「ＵＥがその拡張されたフィードバックを通知するインターバルのシーケンス」のそれぞれの例は、ＣＳＩ−プロセスにより同様に説明できる。このプロセスは、残差フィードバック形式を求めるための規則を特定するものである。ＵＥはＣＳＩをそれに従って求め、通知する。セクション１．１に説明したＲＥＮの再解釈が、例えば、そのような規則を設計するために用いられてよい。
【０１３３】
（ｆ）ＣＳＩを求めるための規則において、異なるＣＳＩプロセスにわたって、単純依存を導入することができる。例えば、１つのＣＳＩプロセスが、参照基準プロセス
【０１３４】
【数１０２】
2016508338.tif 000104
内のＰＭＩが、コードブックサブセットを特定するためにまず用いられる、１つの規則を特定する。ＳＵ−ＭＩＭＯ規則に従って、前記サブセット内の好適なＰＭＩを（対応するＳＩＮＲと共に）決定する（図４のブロック４１６）。このサブセットは、ｅＮＢによって擬似静的に構成され、ユーザに対して伝達される。またサブセット自体の選択は、基準ＰＭＩ
【０１３５】
【数１０３】
2016508338.tif 000105
の選択と共に変化し得る（図４のブロック４１７）。任意の特定の
【０１３６】
【数１０４】
2016508338.tif 000106
に対するサブセットの一例は、
【０１３７】
【数１０５】
2016508338.tif 000107
に垂直なプリコーダのそれぞれによって形成されるものである。この場合、上述のＣＳＩ規則が、拡張されたフィードバックの形式を特定すること（セクション３）が分かる。なぜならば、そのようにして得られたＰＭＩ及びＳＩＮＲが、
【０１３８】
【数１０６】
2016508338.tif 000108
の直交補空間におけるチャネル行列の成分を近似するのを可能にするからである。
【０１３９】
ここで、ＣＳＩ−プロセスのセットを含むＣＳＩ−パターンの概念を定義することが可能である。そのようなパターンのコードブックが定義され、ＵＥに対して擬似静的な方法で開示され得る。次に、コントローラが、動的又は擬似静的に、コードブックから、パターンを特定するあるインデックスを取り出し、ＵＥにその信号を送る。次にＵＥは、上記パターン内のそれぞれのＣＳＩ−プロセスに対して定義されている規則に従ってＣＳＩを計算することができる、それらをフィードバックすることができる。擬似静的に信号を送る場合には、ＵＥは新しいパターンの信号が送られてくるまでは、もっとも最近に送られた信号のパターンに従うように構成されていてよい。パターンを定義する間に、オーバーヘッドを減らすために、そのＣＳＩ−プロセスの１つ又はそれより多くのものが、ＣＱＩ−オンリーとしてマークされてよい。すなわち、ＵＥは、これらのＣＳＩ−プロセスように求めたＣＳＩ内のＰＭＩ／ＲＩを計算しない。その代わりに、そのようなプロセスの各々に対して、ＵＥは、そのプロセスに対する参照であることを示すパターン内の他のＣＳＩプロセスのＰＭＩを用いる。そのＰＭＩが用いられることになる参照プロセスは、また、上記のＣＱＩ−オンリーとマークされたプロセスのそれぞれに対して別々に固定される。更に、幾つかのプロセスは、広帯域のＰＭＩ及び／又は広帯域のＣＱＩを必要とするプロセスとしてマークされ得る。その結果、ＵＥは、それらのプロセスに対しては、広帯域のＰＭＩ及び／又は広帯域のＣＱＩのみを計算し、通知する。また、別々のコードブックサブセット制限が、それぞれのプロセスに対して課され得る。且つ／又は、別々の最大ランク制限が１つずつ、それぞれのプロセスに対して課され得る。任意に、１つの共通のランク制限が、１つのパターン内のすべてのプロセスに対して課されてもよい。更にこの制限を特殊化すると、上記のパターンの中の１つのＣＳＩプロセスを、ＵＥがまず、前記プロセスに対するＣＳＩ（ＲＩを含む）を計算し、次に計算で求めたＲＩを残りのすべてのプロセスに対して用いるべきであることを示すためにマークし得る。このような最適化はすべて、コードブックを定義しながら擬似静的に実行することが可能であり、前記コードブック及び、同コードブック内のそれぞれのパターンのそれぞれのプロセスの属性（又はマーキング）が、擬似静的に前記ＵＥに伝達される。次に、１つのパターンのインデックスが動的に伝達され、ＵＥは、インデックス化されたパターンと、それを構成するＣＳＩプロセスの属性及び規則とに従って、ＣＳＩを通知する。コードブックは、１つのＵＥに対して特定的に定義されてよい。あるいは、１つのコードブックが、１つのセルに対して特定的に定義されてもよい。そうすれば、それぞれのＵＥは、その割り当てられたセルに基いて、コードブックを知ることができる。
【０１４０】
以上の説明は、あらゆる面で説明的かつ例示的なものであり、制約的なものではなく、本明細書に開示されている発明の範囲は、「詳細な説明」によって決定されるのではなく、むしろ「請求項」を特許関連法規の許す限りにおいて最も広い解釈により定められる。本発明で示し説明した実施形態は、本発明の原理を例示したものにすぎず、当業者はさまざまな修正を、本発明の範囲及び精神から逸脱することなく実現できるであろう。当業者は、さまざまな他の特徴的組み合わせを、本発明の範囲と精神から逸脱することなく実現できるであろう。
【図１】
2016508338.tif 000110
【図２】
2016508338.tif 000111
【図３】
2016508338.tif 000112
【図４】
2016508338.tif 000113
【国際調査報告】
2016508338.tif 000114
2016508338.tif 000115
2016508338.tif 000116